(57)【要約】      （修正有）【課題】自動車等の盗難監視対象物が警備体制下にあることを電光により不審者に確実に報知できる電光威嚇装置を提供する。【解決手段】電光威嚇装置は、透明頭部１１と基板収納部１２とを回動機構により連結したケーシング１と、透明頭部１１内にＬＥＤ３１を収納した発光部３と、基板収納部１２内に収納される制御基板４とを備え、運転席側のフロントガラス近くのダッシュボード上に載置されている。この電光威嚇装置は、透明頭部１１の角度を変えられるため、不審者が近づいて来る方へ発光部の発光方向を向けておくことができ、自動車が警備体制下にあることを電光により不審者に確実に報知できる。【選択図】図１
0003184150.tif 000002
【実用新案登録請求の範囲】
【請求項１】
複数個の発光素子を列設した発光部と、
該発光部の各発光素子へ通電を行うための複数の電子部品を組み付けた制御基板と、
前部が開口し前記制御基板を収納する箱状の基板収納部、および前記発光部を収納する透明頭部からなるケーシングとを備え、盗難監視対象物に前記ケーシングの前記基板収納部が固定される電光威嚇装置において、
前記発光部の各発光素子と前記制御基板とがフレキシブルに電気接続されているとともに、任意の角度で制止可能な回動機構により、前記透明頭部の後部が前記基板収納部の前部に支持されていることを特徴とする電光威嚇装置。
【請求項２】
前記透明頭部は、前記基板収納部から着脱可能であり、
前記発光部の各発光素子と前記制御基板とが延長ケーブルで電気接続されていることを特徴とする請求項１の電光威嚇装置。
【請求項３】
複数個の発光素子を列設した発光部、および各発光素子へ通電を行うための複数の電子部品を組み付けた制御基板とからなる本体と、
該本体を収納し、盗難監視対象物にケース底面が固定される透明ケースとを有する電光威嚇装置において、
前記透明ケースには、枢支ピンがケース下部の内底面に配設されているとともに、取り外し可能な蓋がケース上部に取り付けられ、
回動可能に前記枢支ピンに枢着される凹状リングが本体底面に配設され、透明ケース内での前記本体の向きが自在に変えられる様にしたことを特徴とする電光威嚇装置。
【考案の詳細な説明】
【技術分野】
【０００１】
本考案は、自動車等の盗難監視対象物が警備体制下にあることを電光により不審者に報知する電光威嚇装置に関する。
【背景技術】
【０００２】
特許文献１には、自動車のエンジンルームに設置する車両用盗難防止装置が開示されている。
【先行技術文献】
【特許文献】
【０００３】
【特許文献１】実用新案登録第２５０３１０４号公報
【考案の概要】
【考案が解決しようとする課題】
【０００４】
上記特許文献１は、下記の課題を有する。
車両用盗難防止装置をエンジンルームに設置して電気配線を行うには、特殊な技術を要する。
また、車両が警備体制下（不法行為を行えば警報音が鳴る等）にあることを不審者に報知していないので、不法行為を断念させることができない。
【０００５】
そのため、自動車等の盗難監視対象物が警備体制下にあることを電光により不審者に報知する電光威嚇装置が登場した。
しかし、上記の電光威嚇装置は、通常、設置が容易なダッシュボード等に取り付けられるため、発光部の発光方向に、窃盗行為を行う目的で自動車に近づいてくる不審者が居ないことが多く、不審者に対して充分威嚇ができなった。
【０００６】
本考案の目的は、自動車等の盗難監視対象物が警備体制下にあることを電光により不審者に確実に報知できる電光威嚇装置の提供にある。
【課題を解決するための手段】
【０００７】
（請求項１について）
盗難監視対象物にケーシングの基板収納部が固定される電光威嚇装置は、複数個の発光素子を列設した発光部と、発光部の各発光素子へ通電を行うための複数の電子部品を組み付けた制御基板と、前部が開口し制御基板を収納する箱状の基板収納部および発光部を収納する透明頭部からなるケーシングとを備える。なお、発光部の各発光素子と制御基板とは、フレキシブルに電気接続されている。
【０００８】
任意の角度で制止可能な回動機構によって透明頭部の後部が基板収納部の前部に支持されているため、透明頭部を任意の角度で制止することができる。このため、不審者が窃盗行為を行う目的で自動車に近づいて来る方へ、発光部の発光方向を向けておくことができる。
【０００９】
よって、電光威嚇装置は、自動車等の盗難監視対象物が警備体制下にあることを電光により不審者に確実に報知できる。
【００１０】
発光部の各発光素子と制御基板とがフレキシブルに電気接続されているため、透明頭部の角度を変えても、発光部の各発光素子と制御基板との電気接続が絶たれない。
【００１１】
（請求項２について）
発光部の各発光素子と制御基板とが延長ケーブルで電気接続され、且つ、透明頭部が基板収納部から着脱可能であるので、透明頭部を基板収納部から分離することができる。
このため、盗難監視対象物にケーシングの基板収納部を固定した場所の近くに、障害物があっても、透明頭部を基板収納部から分離して障害物の先に配置すれば、発光部の発光方向を、不審者が自動車に近づいて来る方へ向けることができる。
【００１２】
（請求項３について）
盗難監視対象物にケース底面が固定される電光威嚇装置は、複数個の発光素子を列設した発光部、および各発光素子へ通電を行うための複数の電子部品を組み付けた制御基板とからなる本体と、この本体を収納する透明ケースとを有する。
【００１３】
透明ケースには、枢支ピンがケース下部の内底面に配設されているとともに、取り外し可能な蓋がケース上部に取り付けられている。
本体底面には、枢支ピンに回動可能に枢着される凹状リングが配設され、本体の向きが透明ケース内で自在に変えられる。
【００１４】
枢支ピンと凹状リングとにより、透明ケース内で本体の向きを自在に変えられるため、不審者が窃盗行為を行う目的で自動車に近づいて来る方へ、発光部の発光方向を向けておけば、自動車等の盗難監視対象物が警備体制下にあることを電光により不審者に確実に報知できる。
【図面の簡単な説明】
【００１５】
【図１】本考案の実施例１に係る電光威嚇装置の説明図である。
【図２】本考案の実施例１に係る電光威嚇装置の説明図である。
【図３】（ａ）は本考案の実施例１に係る電光威嚇装置の説明図であり、（ｂ）はその断面図である。
【図４】本考案の実施例２に係る電光威嚇装置の説明図である。
【実施例１】
【００１６】
本考案の実施例１（請求項１、２に対応）にかかる電光威嚇装置Ａを図１に基づいて説明する。
電光威嚇装置Ａは、透明頭部１１と基板収納部１２とを回動機構２により連結したケーシング１と、透明頭部１１内にＬＥＤ３１を収納した発光部３と、基板収納部１２内に収納される制御基板４とを備え、運転席側のフロントガラス近くのダッシュボード上に載置されている。
【００１７】
ケーシング１の透明頭部１１（透明プラスチック製）は、断面Ｕ字状の空所内に７個のＬＥＤ３１を収納している。また、ケーシング１の基板収納部１２（プラスチック製）は、前部が開口する箱状を呈している。
上記透明頭部１１は、基板収納部１２の前部に形成された穴付ガイド１３と、透明頭部１１の後部に形成された突起付ガイド１４とにより、着脱可能に基板収納部１２に取り付けられている。
【００１８】
発光部３の各ＬＥＤ３１と制御基板４とは、図示しないフレキシブルなワイヤー（延長ケーブル）で電気接続されている。
【００１９】
回動機構２は、基板収納部１２の前部に臨む断面コ字状の支持枠２１の先端に形成された横軸２２と、透明頭部１１の内側下部に形成され横軸２２が嵌まるた丸穴２３と、透明頭部１１の下部外周に形成された複数の三角突起２４と、基板収納部１２の前部内壁に形成され三角突起２４が嵌合する複数の三角溝２５とにより構成されている。この回動機構２により、透明頭部１１の後部が基板収納部１２の前部に、任意の角度で制止可能に支持されている。
【００２０】
制御基板４は、発光部３の各ＬＥＤ３１へ、光が流れて見える様に通電を行うための  電子部品を組み付けている。
【００２１】
本実施例の電光威嚇装置Ａは、以下の利点を有する。
電光威嚇装置Ａは、透明頭部１１と基板収納部１２とを回動機構２により連結しているので、透明頭部１１の角度を任意に変えることができる。このため、不審者が窃盗行為を行う目的で自動車に近づいて来る方へ、発光部３の発光方向を向けておくことができる。  よって、電光威嚇装置Ａは、自動車が警備体制下にあることを電光により不審者に確実に報知できる。なお、発光部３の各ＬＥＤ３１と制御基板４とがフレキシブルなワイヤーで電気接続されているため、透明頭部１１の角度を繰り返し変えても断線しない。
【００２２】
発光部３の各ＬＥＤ３１と制御基板４とがフレキシブルなワイヤーで電気接続され、且つ、透明頭部１１が基板収納部１２から着脱可能であるので、透明頭部１１を基板収納部１２から分離することができる。
このため、盗難監視対象物にケーシング１の基板収納部１２を固定した場所の近くに、障害物があっても、透明頭部１１を基板収納部１２から分離して障害物の先に配置すれば、発光部３の発光方向を、不審者が自動車に近づいて来る方へ向けることができる。
【実施例２】
【００２３】
つぎに、本考案の実施例２（請求項３に対応）にかかる電光威嚇装置Ｂを図４に基づいて説明する。
電光威嚇装置Ｂは、制御基板５１および発光部５２からなる本体５と、この本体５を収納する透明ケース６とを有し、運転席側のフロントガラス近くのダッシュボード上に載置されている。
【００２４】
本体５の底面には、回動可能に枢支ピン６１に枢着される凹状リング５３が配設され、本体５の向きが透明ケース６内で自在に変えられる。
発光部５２は、７個のＬＥＤ５４（発光素子）を列設したものである。
制御基板５１には、各ＬＥＤ５４へ通電を行うための電子部品が組み付けられている。  
【００２５】
透明ケース６には、枢支ピン６１がケース下部の内底面に配設されているとともに、取り外し可能な蓋６２がケース上部に取り付けられている。この透明ケース６は、本体５を収納し、ダッシュボード上にケース底面が固定される。
【００２６】
本実施例の電光威嚇装置Ｃは、以下の利点を有する。
ケース上部の蓋６２を取り外せば、枢支ピン６１と凹状リング５３とにより、本体の向きが透明ケース内で自在に変えられる。
このため、不審者が窃盗行為を行う目的で自動車に近づいて来る方へ、発光部５２の発光方向を向けておけば、自動車が警備体制下にあることを電光により不審者に確実に報知できる。
【産業上の利用可能性】
【００２７】
この電光威嚇装置は、不審者が窃盗行為を行う目的で自動車に近づいて来る方へ、発光部の発光方向を向けておくことができるので、自動車が警備体制下にあることを電光により不審者に確実に報知できる。
【符号の説明】
【００２８】
Ａ、Ｂ  電光威嚇装置
１  ケーシング
２  回動機構
３、５２  発光部
４、５１  制御基板
５  本体
６  透明ケース
１１  透明頭部
１２  基板収納部
３１、５４  ＬＥＤ（発光素子）
５３  凹状リング
６１  枢支ピン
６２  蓋
【図１】
0003184150.tif 000003
【図２】
0003184150.tif 000004
【図３】
0003184150.tif 000005
【図４】
0003184150.tif 000006